(57)【要約】【課題】捕獲した害獣を屠殺した現場で、その解体及び洗浄処理を行うことができるようにするための、解体後の害獣の現場洗浄装置を提供すること。【解決手段】洗浄水を収容するタンク１１と、当該タンクから供給された洗浄水を高圧水として吐出する高圧ポンプ１２と、当該高圧ポンプから吐出された高圧水を搬送するホース１３と、当該ホースの先端に取り付けられて高圧水を噴射するノズル１４と、高圧ポンプ１２を駆動させる駆動手段１５とをトラック２０の荷台２１の上に収まるように配置した。【選択図】図１
0003187633.tif 000002
【実用新案登録請求の範囲】
【請求項１】
害獣を解体後、その現場で洗浄するための洗浄装置であって、
洗浄水を収容するタンクと、当該タンクから供給された洗浄水を高圧水として吐出する高圧ポンプと、当該高圧ポンプから吐出された高圧水を搬送するホースと、当該ホースの先端に取り付けられて高圧水を噴射するノズルと、前記高圧ポンプを駆動させる駆動手段とをトラックの荷台の上に収まるように配置してなる、害獣の解体後の現場洗浄装置。
【請求項２】
前記高圧ポンプが電動式のポンプであり、前記駆動手段が、前記トラックに搭載されたバッテリから供給される直流電力を交流電力に変換して前記高圧ポンプに供給するインバータである請求項１に記載の害獣の解体後の現場洗浄装置。
【請求項３】
前記高圧ポンプが電動式のポンプであり、前記駆動手段が、燃料で駆動する燃料発電機である請求項１に記載の害獣の解体後の現場洗浄装置。
【請求項４】
前記高圧ポンプがエンジン駆動式のポンプであり、前記駆動手段としてエンジンが前記高圧ポンプに内蔵されている請求項１に記載の害獣の解体後の現場洗浄装置。
【考案の詳細な説明】
【技術分野】
【０００１】
本考案は、捕獲した猪、鹿等の害獣（野生動物）を解体した後、その解体後の害獣を現場で洗浄するための洗浄装置に関する。
【背景技術】
【０００２】
近年、山林の伐採などによって、餌場を失った害獣が農作物を目当てに、人里近くに出没して田畑に被害を与えたり、また、驚いた害獣が人に危害を及ぼしたりすることもあり、社会問題となっている。このように、人里近くに出没する害獣による被害を未然に防止するために、害獣の捕獲が行われている。
【０００３】
従来、野生動物の捕獲には、捕獲用の檻が用いられており、本願出願人も、特許文献１において動物捕獲用檻を提案した。また、本願出願人は、捕獲後の害獣を短時間で簡単に屠殺（とさつ）できるようにするため、特許文献２において害獣の処理用檻を提案した。
【０００４】
害獣は屠殺後、解体される。具体的には、血抜き、皮剥ぎ、内臓除去などの解体処理が行われ、洗浄処理後、食肉に供される。このように害獣の解体処理と洗浄処理は、一連の処理として行われる。
【０００５】
従来、害獣の屠殺は捕獲した現場で行うものの、その解体は、現場で洗浄水を確保することが困難であったことから、洗浄水を確保できる場所（例えば民家）まで運搬した上で行っていた。
【０００６】
しかし、解体を現場から離れた場所で行うと、捕獲・屠殺から解体・洗浄までに時間がかかり、血抜きなどの処理が遅れることから、肉に臭みが残るなど食肉としての品質が劣化するという問題があった。
【先行技術文献】
【特許文献】
【０００７】
【特許文献１】登録実用新案第３１４７７０１号公報
【特許文献２】登録実用新案第３１６５０５４号公報
【考案の概要】
【考案が解決しようとする課題】
【０００８】
本考案が解決しようとする課題は、捕獲した害獣を屠殺した現場で、その解体及び洗浄処理を行うことができるようにするための、害獣の解体後の現場洗浄装置を提供することにある。
【課題を解決するための手段】
【０００９】
本考案の一観点によれば、害獣を解体後、その現場で洗浄するための洗浄装置であって、洗浄水を収容するタンクと、当該タンクから供給された洗浄水を高圧水として吐出する高圧ポンプと、当該高圧ポンプから吐出された高圧水を搬送するホースと、当該ホースの先端に取り付けられて高圧水を噴射するノズルと、前記高圧ポンプを駆動させる駆動手段とをトラックの荷台の上に収まるように配置してなる、害獣の解体後の現場洗浄装置が提供される。
【００１０】
なお、本考案において「トラック」とは、いわゆる軽トラックも含む概念である。
【００１１】
本考案において、前記高圧ポンプとしては、電動式のポンプを使用することができる。この場合、前記駆動手段としては、前記トラックに搭載されたバッテリから供給される直流電力を交流電力に変換して前記高圧ポンプに供給するインバータ、又は燃料で駆動する燃料発電機を使用することができる。
【００１２】
また、前記高圧ポンプとしては、エンジン駆動式のポンプを使用することができ、この場合、前記駆動手段としてのエンジンは前記高圧ポンプに内蔵させることができる。
【考案の効果】
【００１３】
本考案によれば、解体後の害獣の洗浄に必要な機器がトラックの荷台の上に配置されているので、当該トラックで現場に行くことにより、害獣を捕獲し屠殺した現場で、その害獣の解体及び洗浄処理を行うことができる。これにより、捕獲・屠殺から解体・洗浄までを現場において短時間で行うことができ、良好な品質の食肉の提供が可能となる。
【００１４】
また、本願出願人が提案した前記特許文献１の動物捕獲用檻と、前記特許文献２の害獣の処理用檻と、本考案による現場洗浄装置を一式で使用することで、害獣の捕獲、屠殺、解体及び洗浄を一連の処理として現場で効率的に行うことができる。
【図面の簡単な説明】
【００１５】
【図１】本考案に係る害獣の解体後の現場洗浄装置の一実施例を示す概略斜視図である。
【考案を実施するための形態】
【００１６】
以下、図面に示す実施例に基づき、本考案の実施の形態を説明する。
【００１７】
図１は、本考案に係る害獣の解体後の現場洗浄装置の一実施例を示す概略斜視図である。同図に示す現場洗浄装置１０は、タンク１１、高圧ポンプ１２、ホース１３、ノズル１４及びインバータ１５からなり、これらが全てトラック２０の荷台２１の上に収まるように配置されている。
【００１８】
タンク１１は洗浄水を収容するもので、例えば５００〜８００Ｌの容量である。高圧ポンプ１２は、タンク１１から供給された洗浄水を高圧水として吐出するもので、本実施例では電動式のポンプを使用している。ホース１３は、高圧ポンプ１２から吐出された高圧水を搬送するもので、その先端にノズル１４が接続されている。インバータ１５は、高圧ポンプ１２を駆動させる駆動手段であり、トラック２０に搭載されたバッテリ２２から供給される直流電力を交流電力に変換して高圧ポンプ１２に供給する。
【００１９】
以上の構成において解体後の害獣を洗浄するときは、ホース１３を繰り出してノズル１４を解体後の害獣の近くに持ってくる。その後、高圧ポンプ１２を駆動させることで、タンク１１内の洗浄水をノズル１４の先端から高圧の洗浄水として噴射する。
【００２０】
このように本実施例の現場洗浄装置１０によれば、解体後の害獣の洗浄に必要な機器（タンク１１、高圧ポンプ１２、ホース１３、ノズル１４及びインバータ１５）が全てトラック２０の荷台２１の上に配置されているので、このトラック２０で現場に行くことにより、害獣を捕獲し屠殺した現場で、その害獣の解体及び洗浄処理を行うことができる。
【００２１】
なお、本実施例では電動式の高圧ポンプ１２を駆動させる駆動手段としてインバータ１５を使用したが、インバータ１５に代えて燃料で駆動する燃料発電機を使用し、この燃料発電機からの電力で高圧ポンプ１２を駆動させることもできる。また、高圧ポンプとして、エンジン駆動式のポンプを使用することができ、この場合、駆動手段としてのエンジンは当該高圧ポンプに内蔵させることができる。
【符号の説明】
【００２２】
１０  現場洗浄装置
１１  タンク
１２  高圧ポンプ
１３  ホース
１４  ノズル
１５  インバータ（駆動手段）
２０  トラック
２１  荷台
２２  バッテリ
【図１】
0003187633.tif 000003